(57)【要約】【課題】視覚障害者が単独で画像情報を利用することができる触覚ディスプレー装置を提供することを目的とする。【解決手段】画像情報の凹凸表示用画像データおよび当該凹凸表示用画像データと照合可能に項目毎に分類される目次項目データが記録される記録媒体１と、記録媒体１に記録された凹凸表示用画像データおよび目次項目データを読み取り転送するデータ読取・転送部２と、記録媒体１に記録された目次項目データを検索操作するための操作部３と、操作部３で検索された目次項目データに基づき読取・データ転送部２から転送された当該目次項目データの内容を音声にて知らせる音声発生部４と、音声発生部４で再生された目次項目データの目次項目に基づき操作部３で呼出操作をすることによりデータ読取・転送部２から入力される前記凹凸表示用画像データの内容に応じた複数のピンを上下動させる触覚画像表示部５とを有する。【選択図】  図１
2004326055.tif 000002
【特許請求の範囲】
【請求項１】
視覚障害者が触覚により画像情報を認識するためのピンが多数配設され当該画像情報に基づき前記ピンを上下動させる触覚ディスプレー装置において、
前記画像情報の凹凸表示用画像データおよび当該凹凸表示用画像データと照合可能に項目毎に分類される目次項目データが記録される記録媒体と、前記記録媒体に記録された前記凹凸表示用画像データおよび前記目次項目データを読み取り転送するデータ読取・転送部と、前記記録媒体に記録された前記目次項目データを検索操作するための操作部と、前記操作部で検索された前記目次項目データに基づき前記読取・データ転送部から転送された当該目次項目データの内容を音声にて知らせる音声発生部と、前記音声発生部で再生された前記目次項目データの目次項目に基づき前記操作部で呼出操作をすることにより前記データ読取・転送部から入力される前記凹凸表示用画像データの内容に応じた前記複数のピンを上下動させる触覚画像表示部とを有することを特徴とする触覚ディスプレー装置。
【請求項２】
前記記録媒体は、大容量記録媒体であることを特徴とする請求項１記載の触覚ディスプレー装置。
【請求項３】
前記データ読取・転送部、前記音声発生部、前記操作部および前記触覚画像表示部は、同一筐体に内蔵されていることを特徴とする請求項１または請求項２記載の触覚ディスプレー装置。
【請求項４】
前記操作部は、電話機に設けられた操作ボタンを有し、当該操作ボタンは表示部分が立体形状であることを特徴とする請求項１乃至請求項３のうち何れか１項に記載の触覚ディスプレー装置。
【発明の詳細な説明】
【０００１】
【発明の属する技術分野】
この発明は触覚ディスプレー装置に係り、特に視覚障害者が視覚によらずに画像情報を得ることができる触覚ディスプレー装置に関する。
【０００２】
【従来の技術】
従来から針形状のピンを電気的に上下させて視覚障害者に物体の形状を２次元的に触覚にて認知させる装置が開発されている（例えば特許文献１、特許文献２参照。）
また、画像データをインターネットより取り込んで表示使用とする試みが為されてきた（例えば特許文献３参照）。
【特許文献１】特開２００２−２０７４１８号公報
【特許文献２】特開２００２−２０７４１９号公報
【特許文献３】特開２００２−３４１７４８号公報
【０００３】
【発明が解決しようとする課題】
しかしながら、触覚ディスプレー装置に画像データを転送しようとする場合、何れの装置においてもパソコンに取り込み記録された画像のビットマップのデータを凹凸表示用画像データに変換して、当該凹凸表示用画像データを触覚ディスプレー装置に転送する手段が取られていたが、一般のパーソナルコンピュータ（以下、「パソコン」という。）の操作ができない視覚障害者にとっては、介護者のいない環境では触覚ディスプレー装置を利用することは困難であった。
【０００４】
即ち、常にパソコンと触覚ディスプレー装置の２台接続の状況と、パソコン操作者と視覚障害者の２名を前提とした環境での活用が想定されていたが、視覚障害者個人での利用は困難であるという難点があった。
【０００５】
本発明は、このような従来の難点を解決するためになされたもので、視覚障害者が単独で画像情報を利用することができる触覚ディスプレー装置を提供することを目的とする。
【０００６】
【課題を解決するための手段】
このような目的を達成する本発明の触覚ディスプレー装置は、視覚障害者が触覚により画像情報を認識するためのピンが多数配設され当該画像情報に基づきピンを上下動させる触覚ディスプレー装置において、画像情報の凹凸表示用画像データおよび当該凹凸表示用画像データと照合可能に項目毎に分類される目次項目データが記録される記録媒体と、記録媒体に記録された凹凸表示用画像データおよび目次項目データを読み取り転送するデータ読取・転送部と、記録媒体に記録された目次項目データを検索操作するための操作部と、操作部で検索された目次項目データに基づき読取・データ転送部から転送された当該目次項目データの内容を音声にて知らせる音声発生部と、音声発生部で再生された目次項目データの目次項目に基づき操作部で呼出操作をすることによりデータ読取・転送部から入力される凹凸表示用画像データの内容に応じた複数のピンを上下動させる触覚画像表示部とを有するものである。
【０００７】
このような触覚ディスプレー装置によれば、操作部で記録媒体に記録された目次項目データの所望の項目データの呼出操作を行うと、音声発生部でその項目データの内容の音声が再生されるので、その項目データに該当する凹凸表示用画像データを操作部で呼出操作を行えば、データ読取・転送部から触覚画像表示部にその凹凸表示用画像データが入力される。したがって、触覚画像表示部はその凹凸表示用画像データに応じたピンを上下動させることができる。
【０００８】
また、本発明の触覚ディスプレー装置において記録媒体は、大容量記録媒体であることが好ましい。これにより、複雑な画像データを取り扱うことができるようになる。
【０００９】
また、本発明の触覚ディスプレー装置においては、データ読取・転送部、音声発生部、操作部および触覚画像表示部は、同一筐体に内蔵されていることが好ましい。これにより、パソコンを接続することなく視覚障害者が容易に操作を行うことができる。
【００１０】
また、本発明の触覚ディスプレー装置において操作部は、電話機に設けられた操作ボタンを有し、当該操作ボタンは表示部分が立体形状であることが好ましい。これにより、触覚にて認識できるので視覚障害者が容易に操作できるようになる。
【００１１】
【発明の実施の形態】
以下、本発明の触覚ディスプレー装置の好ましい実施の形態例について図面を参照して説明する。
【００１２】
本発明の好ましい実施の一形態である触覚ディスプレー装置は図１のブロック回路図に示すように、画像情報の凹凸表示用画像データおよび当該凹凸表示用画像データと照合可能に項目毎に分類される目次項目データが記録される記録媒体であるＣＤ−ＲＯＭ記録メディア１と、ＣＤ−ＲＯＭ記録メディア１に記録された凹凸表示用画像データおよび目次項目データを読み取り転送するデータ読取・転送部２と、ＣＤ−ＲＯＭ記録メディア１に記録された目次項目データを検索操作するための操作部３と、操作部３で検索された目次項目データに基づきデータ読取・転送部２から転送された当該目次項目データの内容を音声にて知らせる音声発生部４と、音声発生部４で再生された目次項目データの目次項目に基づき操作部３で呼出操作をすることによりデータ読取・転送部２から入力される凹凸表示用画像データの内容に応じた複数のピンを上下動させる触覚画像表示部５とを有している。
【００１３】
ＣＤ−ＲＯＭ記録メディア１は、記録されている目次項目データは音声化するためにテキスト化されている。
【００１４】
操作盤３１は、
図２は触覚ディスプレー装置の操作部分の一例であり、操作盤３１は電話機と同様な１２個のボタンスイッチにより構成され、その機能は数字▲１▼ボタンからゼロ数字ボタンは目次項目の項目番号入力用に使用され、ボタンを押すと機械音にて操作者に押した記号数字を知らせる機能を持たせて、アスタリクスボタンは数字ボタンにより特定された目次項目のテキストを音声発声部４に出力する用途に使用され、シャープボタンは特定されたデータの凹凸表示用データの読み出し要求信号を制御回路部３２を経由してＣＤ−ＲＯＭドライブ２１に出力する用途に用いられる。
【００１５】
また、操作盤３１の操作ボタンは、電話機に設けられた操作ボタンを有し、当該操作ボタンは表示部分が立体形状であることが好ましい。これにより、触覚にて認識できるので視覚障害者が容易に操作できるようになる。
【００１６】
データ読取・転送部２は、ＣＤ−ＲＯＭドライブ２１およびバッファメモリ２２から成り、このバッファメモリ２２に転送された目次項目データは、項目毎に凹凸表示用画像データと照合されるように分類されており、操作盤３１の番号入力により呼び出され、操作盤３１のアスタリスクボタンを押すことにより制御回路部３２を経由して音声発生部４に転送される。
【００１７】
この音声発生部４は、音声合成回路４１およびスピーカ４２から成り、転送された目次項目のテキストデータは音声合成回路４１により音声化されて、スピーカ４２より音声出力される。
【００１８】
このようなデータ読取・転送部、音声発生部、操作部および触覚画像表示部は図３の外観図に示すように、同一筐体に内蔵されている。これにより、パソコンを接続することなく視覚障害者が容易に操作を行うことができる。
【００１９】
このように構成された触覚ディスプレー装置による凹凸表示画像データの転送動作について説明する。
【００２０】
参照符号２１はＣＤ−ＲＯＭドライブであり、ＣＤ−ＲＯＭ記録メディア１のデータを再生して転送する。ＣＤ−ＲＯＭ記録メディア１のデータはＣＤ−ＲＯＭドライブ２１で読み取られ、テキスト化されている目次項目データ部分は自動的にバッファメモリ２２に転送される。
【００２１】
バッファメモリ２２に転送された目次項目データは、項目毎に凹凸表示用画像データと照合されるように分類されており、操作盤３２の番号入力により呼び出され、操作盤３のアスタリクスボタンを押すことにより制御回路部３２を経由して音声発声部４に転送される。
【００２２】
操作盤３の操作により特定された、特定番号の目次テキストデータは音声合成回路３１に転送され、音声変換されてスピーカ４２より音声出力される。
【００２３】
スピーカ４２より音声出力されたデータを触覚画像表示部５に凹凸表示用データを転送するには、操作盤３１のシャープボタンを押すことにより、制御回路部３２を経由してＣＤ−ＲＯＭドライブ２１に特定されたデータの凹凸表示用データの読み出し要求信号を出力する。
【００２４】
操作部３の制御回路３２よりの凹凸表示用データの読み出し要求信号を検出したＣＤ−ＲＯＭドライブ２１は、触覚画像表示部５に特定されたデータの凹凸表示用データを転送する。このような手順が反復されることにより、ＣＤ−ＲＯＭドライブ２１と触覚画像表示部５との間でデータ転送が行われる。これにより、視覚障害者は簡易に画像データを音声確認の上で触覚ディスプレー装置から取得可能となる。
【００２５】
即ち、本発明の実施の一形態においては、パソコンへの接続を必要とせずに、単独で大量の画像データを音声ガイドに基づいて触覚画像表示部６に出力する事が可能となるので、視覚障害者が簡易に画像データの出力操作を行える。
【００２６】
なお、上述した本発明の実施の一形態においては、記録媒体として大容量記録媒体であるＣＤ−ＲＯＭを使用していたが、これに限らず、フラッシュメモリー、ＺＩＰドライブ、ＤＶＤ−ＲＯＭ、ＳＤメモリーカード、メモリースティック、クリックドライブ、ＰＣハードディスク、又はマイクロドライブでもよい。この場合、データ読取・転送部２はそれぞれの記録媒体に対応したドライブが使用される。また、大容量記録媒体を使用すれば、複雑な画像データを取り扱うことができるようになる。
【００２７】
また、上述した本発明の実施の一形態においては、データ読取・転送部、音声発生部、操作部および触覚画像表示部は、同一筐体に内蔵されていたが、これに限らず、データ読取・転送部、音声発生部、操作部が別筐体に設けられていても、視覚障害者は単独で画像情報を利用することができるようになる。
【発明の効果】
以上、説明したように、本発明の触覚ディスプレー装置によれば、パソコンなどの外部機器に接続することなく、視覚障害者が単独で画像情報を利用することができるようになる。
【図面の簡単な説明】
【図１】本発明の触覚ディスプレー装置の実施例を示すブロック図である。
【図２】本発明の触覚ディスプレー装置の操作部の詳細である。
【図３】本発明の触覚ディスプレー装置の外観図である。
【符号の説明】
１．  ＣＤ−ＲＯＭ記録メディア
２．  データ読取・転送部
３．  操作部
４．  音声発声部
５．  触覚画像表示部
２１．ＣＤ−ＲＯＭドライブ
２２．バッファー
３１．操作盤
３２．制御回路部
４１．音声合成回路
４２．スピーカ
【図１】
2004326055.tif 000003
【図２】
2004326055.tif 000004
【図３】
2004326055.tif 000005